(57)【要約】【課題】接合強度のバラツキを抑制することができる面状照明装置を提供すること。【解決手段】  実施形態に係る面状照明装置は、導光板と、固定部材とを備える。導光板は、平板状に形成され、側面と、主面とを有し、側面から入射される光を主面から出射する。固定部材は、所定の厚みを有するスペーサと、接着剤とを有し、導光板を所定の箇所に固定する。【選択図】図３Ｂ
2018078068.tif 000002
【特許請求の範囲】
【請求項１】
平板状に形成され、側面と、主面とを有し、前記側面から入射される光を前記主面から出射する導光板と、
所定の厚みを有するスペーサと、接着剤とを有し、前記導光板を所定の箇所に固定する固定部材と、
を備える、
面状照明装置。
【請求項２】
前記導光板の前記側面に対向して配置され、前記側面に入射される光を発する発光面を有する光源と、
前記導光板と前記光源とを連結させる連結部材と、
をさらに備え、
前記連結部材は、
基材と、前記固定部材とを有し、前記基材と前記導光板との間を、前記スペーサまたは前記接着剤を介して接合する、
請求項１に記載の面状照明装置。
【請求項３】
前記スペーサは、
両面テープである、
請求項２に記載の面状照明装置。
【請求項４】
前記連結部材は、
前記基材と前記光源との間が前記両面テープで接合される、
請求項３に記載の面状照明装置。
【請求項５】
前記接着剤と前記スペーサとは、
前記基材上に交互に並んで配置される、
請求項２〜４のいずれか一つに記載の面状照明装置。
【請求項６】
前記連結部材は、
前記基材上に並んで配列される前記接着剤と前記スペーサとの間に所定の間隙が形成され、
前記間隙は、
前記光源の前記発光面に対して、当該発光面から光が照射される側に形成される、
請求項５に記載の面状照明装置。
【請求項７】
前記接着剤は、
複数の種類の接着剤である、
請求項１〜６のいずれか一つに記載の面状照明装置。
【発明の詳細な説明】
【技術分野】
【０００１】
本発明は、面状照明装置に関する。
【背景技術】
【０００２】
トップビュー型のＬＥＤ（Light  Emitting  Diode）が導光板の側面に対向して配置される面状照明装置がある。近年、面状照明装置の狭額縁化の要求にともない、導光板とＬＥＤとを連結する連結部材の狭小化が求められている。
【先行技術文献】
【特許文献】
【０００３】
【特許文献１】特開２００２−１５６６３２号公報
【発明の概要】
【発明が解決しようとする課題】
【０００４】
しかしながら、導光板とＬＥＤとを連結する連結部材を狭小化した場合、導光板と連結部材との接合面積が小さくなるので、公差などによる接合部分のバラツキが大きくなることから、接合強度のバラツキが大きくなる。
【０００５】
本発明は、上記に鑑みてなされたものであって、接合強度のバラツキを抑制することができる面状照明装置を提供することを目的とする。
【課題を解決するための手段】
【０００６】
上述した課題を解決し、目的を達成するために、本発明の一態様に係る面状照明装置は、導光板と、固定部材とを備える。前記導光板は、平板状に形成され、側面と、主面とを有し、前記側面から入射される光を前記主面から出射する。前記固定部材は、所定の厚みを有するスペーサと、接着剤とを有し、前記導光板を所定の箇所に固定する。
【発明の効果】
【０００７】
本発明の一態様によれば、接合強度のバラツキを抑制することができる面状照明装置を提供することができる。
【図面の簡単な説明】
【０００８】
【図１】図１は、実施形態に係る面状照明装置の外観の一例を示す上面図である。
【図２】図２は、図１のＡ−Ａ線における断面図である。
【図３Ａ】図３Ａは、実施形態に係る連結部材の外観を示した斜視図である。
【図３Ｂ】図３Ｂは、実施形態に係る連結部材と、ＬＥＤと、導光板との位置関係を示した拡大上面図である。
【図４】図４は、実施形態の変形例１に係る連結部材の拡大上面図である。
【図５】図５は、実施形態の変形例２に係る連結部材の拡大上面図である。
【図６】図６は、実施形態の変形例３に係る連結部材の拡大上面図である。
【図７】図７は、実施形態に係る面状照明装置の組み立て方法の一例について説明するための図である。
【発明を実施するための形態】
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１０】
＜面状照明装置の概要＞
まずは、面状照明装置１０の概要について、図１を用いて説明する。図１は、実施形態に係る面状照明装置１０の外観の一例を示す上面図である。図１に示すように、実施形態に係る面状照明装置１０は、遮光シート３０で覆われていない出射領域である有効エリア４０から光を出射する。すなわち、遮光シート３０により、有効エリア４０が規定される。
【００１１】
実施形態に係る面状照明装置１０は、液晶表示装置のバックライトとして用いられる。かかる液晶表示装置は、たとえば、スマートフォンにおいて用いられる。
【００１２】
なお、図１において、右側の遮光シート３０よりも左側の遮光シート３０の方が、幅が広い。これは、右側の遮光シート３０は、後述するＬＥＤ１４やＦＰＣ（Flexible  Printed  Circuit）１２などが含まれない比較的狭い領域を覆う一方で、左側の遮光シート３０は、後述するＬＥＤ１４やＦＰＣ１２などを含む比較的広い領域を覆うためである。
【００１３】
左側の遮光シート３０の幅は、たとえば、１．５ｍｍである。また、図１において、後述する遮光シート３１の図示は省略されている。
【００１４】
＜面状照明装置の詳細な構成＞
つづいて、面状照明装置１０の詳細な構成について、図２を用いて説明する。図２は、図１のＡ−Ａ線における断面図である。図２に示すように、面状照明装置１０は、フレーム１１と、ＦＰＣ１２と、接続部材１３と、ＬＥＤ１４と、導光板１５と、連結部材１６と、接続部材１７と、拡散シート１８と、プリズムシート１９と、反射シート２１と、遮光シート３０と、遮光シート３１とを含む。
【００１５】
フレーム１１は、ＦＰＣ１２と、接続部材１３と、ＬＥＤ１４と、導光板１５と、連結部材１６と、接続部材１７と、拡散シート１８と、プリズムシート１９とを収納する部材である。フレーム１１は、剛性と光の反射率が大きい、たとえば、ステンレス製の板金フレームである。フレーム１１は、底部１１ａと、側壁部１１ｂとを有する。
【００１６】
底部１１ａは、導光板１５の後述する裏面１５ｃに沿って広がる部位である。底部１１ａは、床面１１ｃを有する。床面１１ｃは、平面１１ｃ１と、後述する凹部１１ｅに形成される凹状の面１１ｃ２とを有する。そのうち平面１１ｃ１には、ＬＥＤ１４や導光板１５が載置される。
【００１７】
側壁部１１ｂは、導光板１５の後述する側面１５ａの長辺に沿って、底部１１ａから光が出射する方向（床面１１ｃの平面１１ｃ１の法線方向）に一体に立ちあがる部位である。側壁部１１ｂは、側面１１ｄを有する。
【００１８】
また、底部１１ａには、凹部１１ｅが形成されている。凹部１１ｅは、床面１１ｃの側面１１ｄ側の部分から側面１１ｄに沿って光が出射する方向とは逆の方向に凹むように形成される、ＦＰＣ１２の下端部を逃がす部位である。凹部１１ｅの幅は、より大きな連結部材１６が床面１１ｃの平面１１ｃ１に配置されるように、狭く形成されている。凹部１１ｅは、底部に凹状の面１１ｃ２を有する。
【００１９】
ＦＰＣ１２は、２つの主面１２ａ、１２ｂを有し、一方の主面１２ａに、ＬＥＤ１４が実装される基板である。ＦＰＣ１２には所定の配線パターン（図示せず）が形成されており、かかる配線パターンを介して、外部電源（図示せず）からの電力がＬＥＤ１４に供給され、ＬＥＤ１４を発光させることができる。
【００２０】
接続部材１３は、フレーム１１の側面１１ｄに対してＦＰＣ１２を固定させる部材である。接続部材１３は、たとえば、両面テープである。そして、接続部材１３の一方の面がＦＰＣ１２の主面１２ａとは反対側の主面１２ｂに貼り付けられ、他方の面が側面１１ｄに貼り付けられることにより、側面１１ｄに対してＦＰＣ１２が固定される。
【００２１】
ＬＥＤ１４は、点状の光源（点状光源）である。ＬＥＤ１４は、たとえば、青色ＬＥＤと黄色蛍光体とからなる疑似白色ＬＥＤである。ＬＥＤ１４は、全体として直方体状に形成され、ＦＰＣ１２に実装される面と反対側の面に発光面１４ａを有する、いわゆるトップビュー型のＬＥＤである。
【００２２】
実施形態では、ＬＥＤ１４が複数設けられる。また、複数のＬＥＤ１４は、その発光面１４ａを、導光板１５の側面１５ａに対向させた状態で、側面１５ａの長辺方向に沿って並んで配置される。そして、複数のＬＥＤ１４は、側面１５ａに向けて光を発する。このように、複数のＬＥＤ１４は、側面１５ａに入射される光を発光する。
【００２３】
導光板１５は、透明材料（たとえば、ポリカーボネート樹脂）を用いて平板状に形成されている。導光板１５は、その外表面に、側面１５ａと、主面１５ｂと、裏面１５ｃとを有する。
【００２４】
側面１５ａは、ＬＥＤ１４の発光面１４ａから発光した光が入射される入射面である。また、主面１５ｂは、側面１５ａから入射された光が外方に出射される出射面である。さらに、主面１５ｂとは反対側の面である裏面１５ｃには、たとえば、複数のドットからなる光路変更パターンが形成されている。
【００２５】
かかる光路変更パターンを形成することにより、導光板１５内を進む光の進行方向が変更されて、主面１５ｂから効率的に光が出射される。すなわち、実施形態に係る面状照明装置１０は、いわゆるエッジライト型の照明装置である。
【００２６】
連結部材１６は、ＬＥＤ１４および導光板１５と、床面１１ｃの平面１１ｃ１との間に配置され、導光板１５とＬＥＤ１４とを光学的および機械的に連結させる部材である。
【００２７】
具体的には、連結部材１６は、ＬＥＤ１４の光軸と導光板１５の光軸とが一致された状態で、ＬＥＤ１４の発光面１４ａと導光板１５の側面１５ａとを連結させる。連結部材１６は、基材１６ａと固定部材１６ｂとを含み、固定部材１６ｂ側のみが接着可能となる部材である。
【００２８】
基材１６ａは、たとえば、ＰＥＴなどの樹脂で構成される。固定部材１６ｂは、ＬＥＤ１４の床面１１ｃ側の面の導光板１５寄りの少なくとも一部に接着される。なお、図２に示した断面はＬＥＤ１４の発光面１４ａを含んだ断面であるが、発光面１４ａを含まない断面においては、固定部材１６ｂがＬＥＤ１４の光の出射方向に延在している。そして、かかる延在した部位により、固定部材１６ｂは、導光板１５の裏面１５ｃのＬＥＤ１４寄りの少なくとも一部に接着される（図３Ｂ参照）。
【００２９】
また、連結部材１６には、ＬＥＤ１４の発光面１４ａに近接する基材１６ａ上に、間隙１６ｅが形成されている。なお、基材１６ａ、固定部材１６ｂおよび間隙１６ｅの詳細な構成については後述する。
【００３０】
かかる連結部材１６に、ＬＥＤ１４の床面１１ｃ側の面の少なくとも一部と、導光板１５の裏面１５ｃの少なくとも一部とが取り付けられる。これにより、連結部材１６は、ＬＥＤ１４の発光面１４ａと導光板１５の側面１５ａとを連結させることができる。
【００３１】
また、実施形態においては、図２に示すように、ＬＥＤ１４の厚さよりも導光板１５の厚さの方が厚くなっている。このように、ＬＥＤ１４の厚さと導光板１５の厚さが異なる場合であっても、連結部材１６を用いることにより、ＬＥＤ１４の床面１１ｃ側の面と導光板１５の裏面１５ｃとを面一にして、ＬＥＤ１４と導光板１５とを連結することができる。したがって、実施形態によれば、連結部材１６により、ＬＥＤ１４と導光板１５との光の結合効率を安定させることができる。
【００３２】
ここで、仮に、連結部材１６が両面とも接着可能である場合について説明する。この場合には、床面１１ｃに対してＬＥＤ１４と導光板１５とが固定される。したがって、面状照明装置１０に外部から何らかの力が加わると、ＬＥＤ１４と導光板１５とは、その力を逃がすことができずに、破損してしまう恐れがある。
【００３３】
しかしながら、実施形態に係る連結部材１６は、固定部材１６ｂが配置される側のみが接着可能であるため、床面１１ｃに対してＬＥＤ１４および導光板１５が固定されない。これにより、ＬＥＤ１４および導光板１５は、外部からの力を逃がすことができる。したがって、実施形態に係る面状照明装置１０によれば、ＬＥＤ１４および導光板１５の破損の発生を抑制することができる。
【００３４】
接続部材１７は、ＬＥＤ１４および導光板１５に対して連結部材１６とは反対側に配置され、ＬＥＤ１４と導光板１５とを光学的および機械的に連結させる部材である。具体的には、接続部材１７は、ＬＥＤ１４の発光面１４ａと導光板１５の側面１５ａとを連結させる。接続部材１７は、後述する拡散シート１８とＬＥＤ１４および導光板１５との間に配置される。
【００３５】
接続部材１７は、たとえば、両面テープであり、一方の面が、ＬＥＤ１４の床面１１ｃとは反対側の面の導光板１５寄りの少なくとも一部に貼り付けられるとともに、導光板１５の主面１５ｂのＬＥＤ１４寄りの少なくとも一部に貼り付けられる。
【００３６】
すなわち、接続部材１７に、ＬＥＤ１４の床面１１ｃとは反対側の面の少なくとも一部と、導光板１５の主面１５ｂの少なくとも一部とが取り付けられる。したがって、接続部材１７により、ＬＥＤ１４の発光面１４ａと導光板１５の側面１５ａとを連結させることができる。
【００３７】
また、接続部材１７の他方の面は、拡散シート１８の側壁部１１ｂ側の少なくとも一部に貼り付けられる。これにより、接続部材１７は、拡散シート１８を導光板１５に固定させることから、拡散シート１８が導光板１５から浮いてしまうことを抑制することができる。したがって、実施形態によれば、有効エリア４０から出射される光の輝度や輝度分布などの輝度特性の劣化を抑制することができる。
【００３８】
拡散シート１８は、導光板１５の主面１５ｂ側に配置され、主面１５ｂから出射される光を拡散する部材である。具体的には、拡散シート１８は、主面１５ｂおよびＬＥＤ１４の床面１１ｃとは反対側の面の少なくとも一部を覆うように配置される。
【００３９】
プリズムシート１９は、拡散シート１８に対して導光板１５とは反対側に配置され、拡散シート１８により拡散された光の配光制御を行って、配光制御が行われた光を出射する部材である。
【００４０】
反射シート２１は、導光板１５の裏面１５ｃから漏れた光を反射して、ふたたび導光板１５に戻す部材である。反射シート２１は、両面テープ２２により床面１１ｃの平面１１ｃ１上に固定された状態で、導光板１５の裏面１５ｃと床面１１ｃとの間に配置される。
【００４１】
両面テープ２２は、たとえば、白色の両面テープであり、一方の面が反射シート２１の一部に貼り付けられ、他方の面が床面１１ｃの平面１１ｃ１に貼り付けられる。これにより、反射シート２１は床面１１ｃ上に固定される。
【００４２】
遮光シート３０は、プリズムシート１９の側壁部１１ｂ側の一部を覆うように配置され、導光板１５の主面１５ｂのうち一部の領域から出射される光を遮ることにより、面状照明装置１０から光が出射される有効エリア４０を規定する部材である。
【００４３】
たとえば、遮光シート３０は、光を遮ることが可能な片面テープであり、一端側の部分がフレーム１１の側壁部１１ｂの外側の面に貼り付けられる。また、遮光シート３０の他端側の部分のプリズムシート１９側の面は、プリズムシート１９の側壁部１１ｂ側の一部に貼り付けられる。
【００４４】
遮光シート３１は、たとえば、光を遮ることが可能な両面テープである。遮光シート３１の２つの面のうち、一方の面は、遮光シート３０の他端側の部分に貼り付けられ、他方の面は、面状照明装置１０をバックライトとして用いる液晶表示装置（図示せず）に貼り付けられる。これにより、かかる液晶表示装置に面状照明装置１０を固定することができる。
【００４５】
＜連結部材の詳細な構成＞
つづいて、実施形態における連結部材１６、とくに固定部材１６ｂの構成について、図３Ａおよび図３Ｂを用いて説明する。図３Ａは、実施形態に係る連結部材１６の外観を示した斜視図であり、図３Ｂは、実施形態に係る連結部材１６と、ＬＥＤ１４と、導光板１５との位置関係を示した拡大上面図である。なお、図３Ｂにおいては、理解を容易にするため、ＬＥＤ１４および導光板１５は破線で示している。
【００４６】
図３Ａに示すように、連結部材１６は、基材１６ａと、固定部材１６ｂとを含む。基材１６ａは、細長い帯状の部材である。固定部材１６ｂは、両面テープ１６ｃと、接着剤１６ｄとを含む。
【００４７】
両面テープ１６ｃは、基材１６ａの一方の主面の少なくとも一部を覆うように設けられる。両面テープ１６ｃは、上面視で櫛形状に形成されており、延伸部１６ｃ１と、複数の櫛歯部１６ｃ２とを有する。
【００４８】
延伸部１６ｃ１は、図３Ｂに示すように、基材１６ａのＬＥＤ１４が配置される側にかたよって配置され、基材１６ａの長手方向に沿って延びる部位である。また、櫛歯部１６ｃ２は、延伸部１６ｃ１から、導光板１５が配置される側に櫛歯状に並んで突出する部位である。すなわち、複数の櫛歯部１６ｃ２は、所定の間隔をあけて、基材１６ａの長手方向に沿って並んで配置される。
【００４９】
接着剤１６ｄは、互いに隣接する一対の櫛歯部１６ｃ２の中間に、かかる一対の櫛歯部１６ｃ２とはそれぞれ所定の間隔をあけて配置される。すなわち、複数の接着剤１６ｄと、複数の櫛歯部１６ｃ２とが、交互に並んで配置される。そして、隣接する櫛歯部１６ｃ２と接着剤１６ｄとの間には、所定の間隔を有する間隙１６ｅが形成されている。
【００５０】
かかる構成の連結部材１６の所定の箇所に対して、図３Ｂに示すように、導光板１５が接合される。具体的には、両面テープ１６ｃにおける櫛歯部１６ｃ２と接着剤１６ｄとが交互に並んで配置される箇所に、導光板１５の裏面１５ｃ（図２参照）の少なくとも一部が接合される。
【００５１】
ここで、両面テープ１６ｃの櫛歯部１６ｃ２は、基材１６ａと導光板１５との間隔を一定に保持するスペーサとして機能している。すなわち、実施形態において、基材１６ａと導光板１５との間は、スペーサ（櫛歯部１６ｃ２）または接着剤１６ｄを介して接合される。
【００５２】
このように、基材１６ａと導光板１５との間を、スペーサ（櫛歯部１６ｃ２）または接着剤１６ｄを介して接合することにより、基材１６ａと導光板１５との間の接着剤１６ｄの厚みをスペーサ（櫛歯部１６ｃ２）の厚みで均一にすることができる。これにより、接着剤１６ｄの厚みのバラツキに起因する、接着剤１６ｄの接合強度のバラツキを抑制することができる。
【００５３】
すなわち、実施形態によれば、基材１６ａと導光板１５との間を、スペーサ（櫛歯部１６ｃ２）または接着剤１６ｄを介して接合することにより、基材１６ａと導光板１５との間の接合強度のバラツキを抑制することができる。
【００５４】
さらに、実施形態では、複数の接着剤１６ｄと複数の櫛歯部１６ｃ２とが、交互に並んで配置される。これにより、両側に近接して設けられるスペーサ（櫛歯部１６ｃ２）で、接着剤１６ｄの厚みをさらに均一にすることができる。したがって、実施形態によれば、複数の接着剤１６ｄと複数の櫛歯部１６ｃ２とを交互に並べて配置することにより、基材１６ａと導光板１５との間の接合強度のバラツキをさらに抑制することができる。
【００５５】
また、実施形態では、スペーサ（櫛歯部１６ｃ２）に両面テープ１６ｃを用いている。これにより、接着強度は強い一方で硬化速度が遅い接着剤を接着剤１６ｄに用いる場合でも、基材１６ａと導光板１５との接合の初期段階では両面テープ１６ｃで接合することができる。すなわち、かかる接合の初期段階から、基材１６ａと導光板１５との間の位置関係を保持することができる。
【００５６】
したがって、接着剤１６ｄに硬化速度が遅い接着剤を用いる場合でも、十分に硬化するまで待つことなく次の製造工程に移行することができることから、タクトタイムを短くすることができ、製造コストを低減することができる。
【００５７】
さらに、スペーサ（櫛歯部１６ｃ２）に両面テープ１６ｃを用いることにより、接着強度が強い接着剤１６ｄを用いることができることから、優れた接合強度を得ることができる。
【００５８】
また、連結部材１６に対しては、図３Ｂに示すように、導光板１５の他に複数のＬＥＤ１４が接合される。具体的には、両面テープ１６ｃの延伸部１６ｃ１が配置される箇所に、複数のＬＥＤ１４が一列に並んで接合される。すなわち、実施形態において、基材１６ａとＬＥＤ１４との間は、両面テープ１６ｃ（延伸部１６ｃ１）を介して接合される。
【００５９】
このように、基材１６ａとＬＥＤ１４との間を両面テープ１６ｃ（延伸部１６ｃ１）で接合することにより、櫛歯部１６ｃ２で用いられる両面テープ１６ｃとの共用が可能となる。したがって、基材１６ａとＬＥＤ１４との間を接合する接合材を別途用意する必要がなくなることから、面状照明装置１０の製造コストを低減することができる。
【００６０】
さらに、実施形態において、図３Ｂに示すように、隣接する櫛歯部１６ｃ２と接着剤１６ｄとの間に形成される間隙１６ｅは、ＬＥＤ１４の発光面１４ａに対して、発光面１４ａから光が照射される側に形成されている。換言すると、導光板１５において発光面１４ａに向かい合う部位（すなわち、光が照射される部位）は、裏面１５ｃ側で間隙１６ｅと隣り合っている。その理由を以下に述べる。
【００６１】
接着性を有する両面テープや接着剤は、一般的に光の吸収率が高い。そのため、発光面から光が照射される導光板の部位に隣り合って両面テープや接着剤が設けられていると、かかる両面テープや接着剤で発光した光が吸収されることから、面状照明装置の発光効率が低下してしまう。
【００６２】
しかしながら、実施形態では、隣接する櫛歯部１６ｃ２と接着剤１６ｄとの間に間隙１６ｅを形成し、かかる間隙１６ｅに隣り合うように導光板１５の発光面１４ａに向かい合う部位を配置している。換言すると、発光面１４ａの前方（光が照射される方向）には両面テープ１６ｃや接着剤１６ｄが配置されないように、ＬＥＤ１４を配置している。
【００６３】
これにより、発光面１４ａの前方で両面テープ１６ｃ（櫛歯部１６ｃ２）や接着剤１６ｄにより光が吸収されることを抑制することができる。したがって、実施形態によれば、より発光効率の高い面状照明装置１０を実現することができる。
【００６４】
上述の実施形態において、接着剤１６ｄとしては、たとえば、１液型接着剤、２液型接着剤、ＵＶ硬化型接着剤、ホットメルト接着剤などを用いることができる。このように、接着剤１６ｄは、不可逆的に硬化（たとえば、１液型接着剤、２液型接着剤、ＵＶ硬化型接着剤）または固化（たとえば、ホットメルト接着剤）することにより、接着機能が発現される材料である。
【００６５】
一方、両面テープ１６ｃは、粘着剤により接着機能が付与されている材料である。すなわち、接着剤１６ｄのほうが、両面テープ１６ｃよりも高い接着強度を有する。したがって、実施形態によれば、基材１６ａと導光板１５との間を接着剤１６ｄで接合していることから、両面テープのみで接合する場合に比べて優れた接着強度を得ることができる。
【００６６】
＜変形例＞
次に、図４〜図６を参照しながら、実施形態の各種変形例について説明する。図４は、実施形態の変形例１にかかる連結部材１６の拡大上面図であり、実施形態の図３Ｂに対応する図面である。変形例１にかかる連結部材１６は、櫛歯部１６ｃ２および接着剤１６ｄの構成が実施形態と異なる。その他の部位については実施形態と同様であり、詳細な説明は省略する。
【００６７】
図４に示す変形例１において、接着剤１６ｄは、隣接する櫛歯部１６ｃ２の間に複数（図では２つ）設けられている。そして、互いに隣接する接着剤１６ｄの間にも、間隙１６ｅが設けられている。
【００６８】
上述の構成により、基材１６ａと導光板１５（図３Ｂ参照）との間を、より多くの接着剤１６ｄで接合することができる。したがって、変形例１によれば、基材１６ａと導光板１５との間で、より優れた接合強度を得ることができる。
【００６９】
なお、図４では、隣接する櫛歯部１６ｃ２の間に接着剤１６ｄを２つ設けた例を示しているが、隣接する櫛歯部１６ｃ２の間に接着剤１６ｄを３つ以上設けてもよい。
【００７０】
図５は、実施形態の変形例２にかかる連結部材１６の拡大上面図であり、変形例１の図４に対応する図面である。変形例２にかかる連結部材１６は、接着剤１６ｄの構成が変形例１と異なる。その他の部位については変形例１と同様であり、詳細な説明は省略する。
【００７１】
図５に示す変形例２では、接着剤１６ｄとして、第１接着剤１６ｄ１と第２接着剤１６ｄ２とを用いている。ここで、第１接着剤１６ｄ１と第２接着剤１６ｄ２とは異なる種類の接着剤である。
【００７２】
このように、接着剤１６ｄとして異なる種類の接着剤を併用することにより、接着剤１６ｄに多様な機能を付与することができる。たとえば、第１接着剤１６ｄ１として低温での接合強度に優れた接着剤を用い、第２接着剤１６ｄ２として高温での接合強度に優れた接着剤を用いると、幅広い温度条件で優れた接合強度を得ることができる。
【００７３】
したがって、変形例２によれば、接着剤１６ｄに多様な機能を付与することができる。なお、図５では、２種類の接着剤１６ｄ（第１接着剤１６ｄ１、第２接着剤１６ｄ２）を用いた例を示しているが、３種類以上の接着剤１６ｄを用いてもよい。
【００７４】
図６は、実施形態の変形例３にかかる連結部材１６の拡大上面図であり、実施形態の図３Ｂに対応する図面である。変形例３にかかる連結部材１６は、櫛歯部１６ｃ２の構成が実施形態と異なる。その他の部位については実施形態と同様であり、詳細な説明は省略する。
【００７５】
図６に示す変形例３では、スペーサとして機能する櫛歯部１６ｃ２の一部に換えて、両面テープではないスペーサ１６ｆを配置している。このように、両面テープを用いたスペーサ（櫛歯部１６ｃ２）と、両面テープではないスペーサ１６ｆとを併用することによっても、接着剤１６ｄの厚みを均一にすることができる。
【００７６】
したがって、変形例３によれば、基材１６ａと導光板１５との間の接合強度のバラツキを抑制することができる。なお、図６では、両面テープを用いたスペーサ（櫛歯部１６ｃ２）と、両面テープではないスペーサ１６ｆとを併用した例を示しているが、両面テープではないスペーサ１６ｆのみを用い、接着剤１６ｄまたはスペーサ１６ｆを介して基材１６ａと導光板１５との間を接合してもよい。
【００７７】
＜面状照明装置の組み立て方法＞
次に、図７を参照しながら、面状照明装置１０の組み立て方法について説明する。図７は、実施形態に係る面状照明装置１０の組み立て方法の一例について説明するための図である。
【００７８】
なお、図７に示す断面は、ＬＥＤ１４の発光面１４ａを含んだ断面であるが、発光面１４ａを含まない断面においては、基材１６ａと導光板１５との間に櫛歯部１６ｃ２または接着剤１６ｄが設けられている。
【００７９】
図７に示すように、工程１では、まず、ＬＥＤ１４の床面１１ｃ側の面の少なくとも一部に連結部材１６を取り付ける。次に、ＦＰＣ１２の主面１２ａにＬＥＤ１４を実装する。そして、ＦＰＣ１２の主面１２ｂを、接続部材１３を用いてフレーム１１の側面１１ｄに固定させる。
【００８０】
たとえば、連結部材１６を床面１１ｃの平面１１ｃ１に載置する。そして、連結部材１６が床面１１ｃの平面１１ｃ１上を滑るように、ＦＰＣ１２およびＬＥＤ１４を側面１１ｄに向けて移動させる。そして、接続部材１３を用いて、ＦＰＣ１２の主面１２ｂを側面１１ｄに固定させる。
【００８１】
実施形態によれば、このように、連結部材１６を床面１１ｃの平面１１ｃ１に載置し、連結部材１６が床面１１ｃの平面１１ｃ１上を滑るようにＦＰＣ１２およびＬＥＤ１４を側面１１ｄに向けて移動させるという簡便な方法で、ＦＰＣ１２を側面１１ｄに固定させることができる。
【００８２】
ここで、仮に、連結部材１６が両面とも接着可能である場合について説明する。この場合には、工程１において、連結部材１６を床面１１ｃの平面１１ｃ１に載置すると、連結部材１６が床面１１ｃの平面１１ｃ１に貼り付いてしまう。
【００８３】
これにより、連結部材１６が床面１１ｃの平面１１ｃ１上を滑るようにＦＰＣ１２およびＬＥＤ１４を側面１１ｄに向けて移動させることができない。したがって、連結部材１６が両面とも接着可能である場合には、実施形態のように、簡便な方法で、主面１２ｂを、接続部材１３を用いて側面１１ｄに固定させることができない。
【００８４】
しかしながら、上述したように、実施形態によれば、連結部材１６は固定部材１６ｂが配置された片面のみが接着可能であるため、簡便な方法で、ＦＰＣ１２を側面１１ｄに固定させることができる。
【００８５】
工程２では、まず、連結部材１６における基材１６ａ上の所定の箇所に、接着剤１６ｄ（図３Ｂ参照）をたとえばディスペンサを用いて塗布する。次に、床面１１ｃの平面１１ｃ１を厚さ方向の位置合わせ基準として導光板１５の光軸とＬＥＤ１４の光軸との位置合わせ（ＬＥＤ１４の床面１１ｃ側の面と導光板１５の裏面１５ｃの位置合わせ）を行う。
【００８６】
そして、２つの光軸が一致する状態で、導光板１５の裏面１５ｃの少なくとも一部を連結部材１６に取り付け、接着剤１６ｄを硬化させる。これにより、導光板１５の光軸とＬＥＤ１４との光軸が一致し、導光板１５の側面１５ａとＬＥＤ１４の発光面１４ａとが連結した状態でＬＥＤ１４に対して導光板１５が固定される。
【００８７】
したがって、実施形態に係る面状照明装置１０によれば、導光板１５とＬＥＤ１４との光軸の位置合わせ精度が向上される。したがって、実施形態に係る面状照明装置１０によれば、輝度や輝度分布などの輝度特性を高いレベルで安定化させることができる。
【００８８】
また、実施形態に係る面状照明装置１０によれば、導光板１５とＬＥＤ１４とを連結させる連結部材１６の厚さが薄いため、薄型化の要求に応えることができる。以上のことから、実施形態に係る面状照明装置１０によれば、薄型化の要求に応えつつ、優れた輝度特性を有することができる。
【００８９】
また、工程２では、導光板１５を連結部材１６に取り付ける際に、両面テープ２２を用いて、反射シート２１を床面１１ｃの平面１１ｃ１上に固定してもよい。
【００９０】
工程３では、両面テープである接続部材１７の一方の面を、導光板１５の主面１５ｂのＬＥＤ１４寄りの少なくとも一部に貼り付けるとともに、ＬＥＤ１４の床面１１ｃとは反対側の面の導光板１５寄りの少なくとも一部に貼り付ける。これにより、接続部材１７は、導光板１５の側面１５ａとＬＥＤ１４の発光面１４ａとを連結させることができる。
【００９１】
工程４では、接続部材１７の他方の面に、拡散シート１８の側壁部１１ｂ側の少なくとも一部を貼り付ける。
【００９２】
工程５では、プリズムシート１９を、拡散シート１８に対して導光板１５とは反対側に配置する。また、工程５では、片面テープである遮光シート３０の一端側の部分をフレーム１１の側壁部１１ｂの外側の面に貼り付ける。
【００９３】
さらに、工程５では、遮光シート３０の他端側の部分のプリズムシート１９側の面を、プリズムシート１９の側壁部１１ｂ側の一部に貼り付ける。そして、工程５では、両面テープである遮光シート３１の２つの面のうち、一方の面を、遮光シート３０の他端側の部分に貼り付ける。ここまでの工程１〜工程５により、実施形態に係る面状照明装置１０が完成する。
【００９４】
上述したように、実施形態によれば、ＬＥＤ１４と導光板１５とを連結させる連結部材１６において、基材１６ａと導光板１５との間が、スペーサ（櫛歯部１６ｃ２）または接着剤１６ｄを介して接合される。これにより、接着剤１６ｄの厚みを均一にすることができることから、基材１６ａと導光板１５との間で、接合強度のバラツキを抑制することができる。
【００９５】
以上のように、実施形態に係る面状照明装置１０は、導光板１５と、固定部材１６ｂとを備える。導光板１５は、平板状に形成され、側面１５ａと、主面１５ｂとを有し、側面１５ａから入射される光を主面１５ｂから出射する。また、固定部材１６ｂは、所定の厚みを有するスペーサ（両面テープ１６ｃ）と接着剤１６ｄとを有し、導光板１５を所定の箇所（基材１６ａ）に固定する。これにより、導光板１５と基材１６ａとの間で、接合強度のバラツキを抑制することができる。
【００９６】
また、実施形態に係る面状照明装置１０は、光源（ＬＥＤ１４）と、連結部材１６とをさらに備える。光源（ＬＥＤ１４）は、導光板１５の側面１５ａに対向して配置され、側面１５ａに入射される光を発する発光面１４ａを有する。連結部材１６は、導光板１５と光源（ＬＥＤ１４）とを連結させる。そして、連結部材１６は、基材１６ａと、固定部材１６ｂとを有し、基材１６ａと導光板１５との間を、スペーサ（両面テープ１６ｃ）または接着剤１６ｄを介して接合する。これにより、導光板１５と基材１６ａとの間で、接合強度のバラツキを抑制することができる。
【００９７】
また、実施形態に係る面状照明装置１０において、スペーサ（櫛歯部１６ｃ２）は、両面テープ１６ｃである。これにより、面状照明装置１０の製造コストを低減することができるとともに、より優れた接合強度を得ることができる。
【００９８】
また、実施形態に係る面状照明装置１０において、連結部材１６は、基材１６ａと光源（ＬＥＤ１４）との間が両面テープ１６ｃで接合される。これにより、面状照明装置１０の製造コストを低減することができる。
【００９９】
また、実施形態に係る面状照明装置１０において、接着剤１６ｄとスペーサ（櫛歯部１６ｃ２）とは、基材１６ａ上に交互に並んで配置される。これにより、基材１６ａと導光板１５との間で、さらに接合強度のバラツキを抑制することができる。
【０１００】
また、実施形態に係る面状照明装置１０において、連結部材１６は、基材１６ａ上に並んで配列される接着剤１６ｄとスペーサ（櫛歯部１６ｃ２）との間に所定の間隙１６ｅが形成され、間隙１６ｅは、光源（ＬＥＤ１４）の発光面１４ａに対して、発光面１４ａから光が照射される側に形成される。これにより、より発光効率の高い面状照明装置１０を実現することができる。
【０１０１】
また、実施形態に係る面状照明装置１０において、接着剤１６ｄは、複数の種類の接着剤（第１接着剤１６ｄ１、第２接着剤１６ｄ２）である。これにより、接着剤１６ｄに多様な機能を付与することができる。
【０１０２】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【０１０３】
１０  面状照明装置
１１  フレーム
１２  ＦＰＣ（基板）
１３  接続部材
１４  ＬＥＤ（光源）
１５  導光板
１６  連結部材
１６ａ  基材
１６ｂ  固定部材
１６ｃ  両面テープ
１６ｃ１  延伸部
１６ｃ２  櫛歯部（スペーサ）
１６ｄ  接着剤
１６ｅ  間隙
１７  接続部材
１８  拡散シート
１９  プリズムシート
３０  遮光シート
３１  遮光シート
【図１】
2018078068.tif 000003
【図２】
2018078068.tif 000004
【図３Ａ】
2018078068.tif 000005
【図３Ｂ】
2018078068.tif 000006
【図４】
2018078068.tif 000007
【図５】
2018078068.tif 000008
【図６】
2018078068.tif 000009
【図７】
2018078068.tif 000010